(57)【要約】【課題】本体部と耳掛け具との外観上の一体感が得られ、耳掛け具を本体部に対し所定の向きで安定して取り付けられるヘッドホンの耳掛け具の取り付け構造を提供する。【解決手段】ヘッドホン(50)はスピーカ(7L)を収納したハウジング(8)とハウジングから延出しスピーカに音声信号を供給するコード(2L)とを備える。ハウジングは、スピーカを収納した本体部(8j)と本体部から突出した突出部(8c)とを有する。コードは、本体部の外面(8b1)と直接連接して突出部の一部を形成する一面(8c3a)から延出すると共に一面側がブッシング(9)で覆われている。耳掛け具(70L)は、ブッシングとコードとに跨って着脱自在に係合可能とされる。端面(70a1)を一面(8c3a)に寄せて係合させた際に、突出部の一面(8c3a)側の外面(8cs)と耳掛け具の端面(70a1)側の外面(70s)とが略連続的な面を形成する。【選択図】図１１
2010157788.tif 000002
【特許請求の範囲】
【請求項１】
スピーカを収納したハウジングと前記ハウジングから延出し前記スピーカに音声信号を供給するコードとを備えたヘッドホンに、着脱自在に耳掛け具を取り付けるヘッドホンの耳掛け具取り付け構造において、
前記ハウジングは、前記スピーカを収納した本体部と、前記本体部から突出した突出部と、を有し、
前記コードは、前記本体部の外面と直接連接して前記突出部の一部を形成する一面から延出すると共に前記一面側がブッシングで覆われており、
前記耳掛け具は、前記ブッシングと前記コードとに跨って着脱自在に係合可能とされ、端面を前記一面に寄せて係合させた際に、前記突出部の前記一面側の外面と前記耳掛け具の前記端面側の外面とが略連続的な面を形成するよう構成されていることを特徴とするヘッドホンの耳掛け具取り付け構造。
【請求項２】
スピーカを収納したハウジングと前記ハウジングから延出し前記スピーカに音声信号を供給するコードとを備えたヘッドホンに、着脱自在に耳掛け具を取り付けるヘッドホンの耳掛け具取り付け構造において、
前記ハウジングは、前記スピーカを収納した本体部と、前記本体部から突出した突出部と、を有し、
前記コードは、前記本体部の外面と直接連接して前記突出部の一部を形成する一面から延出すると共に前記一面側がブッシングで覆われており、
前記耳掛け具は、前記ブッシングと前記コードとに跨って着脱自在に係合可能とされ、
前記ブッシングと係合する側の端面が、前記端面を前記一面側に寄せて係合させた際に、前記一面と対向する第１の端面と、前記一面が直接連接する前記本体部の外面と対向する第２の端面とを有するよう構成されていることを特徴とするヘッドホンの耳掛け具取り付け構造。
【請求項３】
前記一面は、前記コードの前記突出部からの延出方向に対して傾斜して形成されていることを特徴とする請求項１または請求項２記載のヘッドホンの耳掛け具取り付け構造。
【発明の詳細な説明】
【技術分野】
【０００１】
本発明は、ヘッドホンの耳掛け具取り付け構造に係り、特に、本体部を耳介の内側に装着するいわゆるインナーイヤータイプのヘッドホンに耳掛け具を着脱自在に取り付けるヘッドホンの耳掛け具取り付け構造に関する。
【背景技術】
【０００２】
本体部を耳介の内側に装着するインナーイヤータイプのヘッドホンは、左右一対の本体部が、それぞれ独立して左右の耳介の内側に嵌り込むように装着される。
そのため、運動などで強い振動が付与された際にずれたり外れたりする可能性があり、また、使用しているうちに装着位置が少しずつずれてしまう可能性があり、また、コードを手などに引っ掛けて強く引っ張ってしまった場合に容易に外れてしまう虞があるので、これらの点について改善が要望されている。
【０００３】
この要望に応えるため、耳介の外側面に倣った形状を有し、本体部から引き出されるコードを保持すると共に本体部と略一体化されて耳掛けを可能とする耳掛け具が提案されている。
この耳掛け具を用いれば、本体部をしっかりと耳に装着して維持することができ、外部から力が付与された場合に容易にずれたり外れたりすることがない。
この耳掛け具の一例が、耳掛け用ハンガーとして特許文献１に開示されている。
【０００４】
【特許文献１】実開平５−１８１９４号公報
【発明の開示】
【発明が解決しようとする課題】
【０００５】
特許文献１に記載された耳掛け用ハンガーは、本体部の筐体の首部の外側面に嵌着される。この耳掛け用ハンガーを嵌着したヘッドホンは、外観上、筐体に別体が付加されたように視認される。
また、特許文献１に記載された筐体は、いわゆるインナーイヤータイプの形態を有すると共に左右の区別を特に必要とするものではないので、筐体の首部に対して取り付けられる耳掛け用ハンガーの向きについては、特に厳密な規制が必要なものではない。
【０００６】
近年、ヘッドホンは、日常生活に欠くことのできないものとなっており、ヘッドホンを装着したまま屋内屋外を問わず活動するライフスタイルが、特に若者層を中心に定着している。
そのため、ヘッドホンを装着した状態において外観品位が優れていること、すなわち、外観デザイン上の優位性は、商品の販売数量に直接反映する重要な要素になっている。
【０００７】
この点に関しては、耳掛け具についても例外ではなく、ヘッドホンに耳掛け具を装着した際の外観品位はできるだけ優れていることが望まれている。具体的には、耳掛け具と本体部との一体感が強く求められている。
【０００８】
また、インナーイヤータイプのヘッドホンにおける本体部の装着感をより良好にする工夫改善も行われている。
具体的には、本体部の形状を左右の耳に対応した対称形状にし、本体部から引き出されるコードを耳介の前方から上方へ回し、耳介の上側を経て後方側から下方に引き出すような引き回しにするものであり、これにより高い装着感が得られるとされる。
本体部の形状が左右で異なる場合は、取り付ける耳掛け具も本体部に対して左右区別してそれぞれの向きで取り付けられることが必要となる。
従って、特許文献１に記載された従来の耳掛け具に対しては、耳掛け具と本体との外観上の一体感が得られること、耳掛け具が本体に対し所定の向きで安定して取り付けられること、が望まれる。
【０００９】
そこで、本発明が解決しようとする課題は、ヘッドホンに耳掛け具を装着した状態で、本体部と耳掛け具との外観上の一体感が得られ、耳掛け具を本体部に対し所定の向きで安定して取り付けられるヘッドホンの耳掛け具の取り付け構造を提供することにある。
【課題を解決するための手段】
【００１０】
上記の課題を解決するために、本願発明は手段として次の１）〜３）の構成を有する。
１）  スピーカ(7L)を収納したハウジング(8)と前記ハウジング(8)から延出し前記スピーカ(7L)に音声信号を供給するコード(2L)とを備えたヘッドホンに、着脱自在に耳掛け具(70L)を取り付けるヘッドホンの耳掛け具取り付け構造において、
前記ハウジング(8)は、前記スピーカ(7L)を収納した本体部(8j)と、前記本体部(8j)から突出した突出部(8c)と、を有し、
前記コード(2L)は、前記本体部(8j)の外面(8b1)と直接連接して前記突出部(8c)の一部を形成する一面(8c3a)から延出すると共に前記一面(8c3a)側がブッシング(9)で覆われており、
前記耳掛け具(70L)は、前記ブッシング(9)と前記コード(2L)とに跨って着脱自在に係合可能とされ、端面(70a1)を前記一面(8c3a)に寄せて係合させた際に、前記突出部(8c)の前記一面(8c3a)側の外面(8cs)と前記耳掛け具(70L)の前記端面(70a1)側の外面(70s)とが略連続的な面を形成するよう構成されていることを特徴とするヘッドホンの耳掛け具取り付け構造である。
２）  スピーカ(7L)を収納したハウジング(8)と前記ハウジング(8)から延出し前記スピーカ(7L)に音声信号を供給するコード(2L)とを備えたヘッドホンに、着脱自在に耳掛け具(70L)を取り付けるヘッドホンの耳掛け具取り付け構造において、
前記ハウジング(8)は、前記スピーカ(7L)を収納した本体部(8j)と、前記本体部(8j)から突出した突出部(8c)と、を有し、
前記コード(2L)は、前記本体部(8j)の外面と直接連接して前記突出部(8c)の一部を形成する一面(8c3a)から延出すると共に前記一面(8c3a)側がブッシング(9)で覆われており、
前記耳掛け具(70L)は、前記ブッシング(9)と前記コード(2L)とに跨って着脱自在に係合可能とされ、
前記ブッシング(9)と係合する側の端部(70a)が、前記端部(70a)を前記一面(8c3a)側に寄せて係合させた際に、前記一面(8c3a)と対向する第１の端面(70a1)と前記一面(8c3a)が直接連接する前記本体部(1L)の外面(AR1)と対向する第２の端面(75a)とを有するよう構成されていることを特徴とするヘッドホンの耳掛け具取り付け構造である。
３）  前記一面(8c3a)は、前記コード(2L)の前記突出部(8c)からの延出方向に対して傾斜して形成されていることを特徴とする１）または２）に記載のヘッドホンの耳掛け具取り付け構造である。
【発明の効果】
【００１１】
本発明によれば、本体との外観上の一体感が得られると共に、本体に対し所定の向きで安定して取り付けることができる、という効果を奏する。
【発明を実施するための最良の形態】
【００１２】
本発明の実施の形態を、好ましい実施例により図１〜図１２を用いて説明する。
【００１３】
実施例の構造を有するヘッドホンは、カナル型のヘッドホン５０であり、ノイズキャンセル機能を有して構成されている。ノイズキャンセル機能を有していないものでもよい。
図１はヘッドホン５０の外観図であり、耳掛け具７０が取り付けられていない状態を示している。以下の説明では、耳掛け具７０をフック７０とも称する。
【００１４】
図１において、ヘッドホン５０は、左耳用の本体部１Ｌと、右耳用の本体部１Ｒと、各本体部１Ｌ，１Ｒから延出するコード２Ｌ，２Ｒと、コード２Ｌ，２Ｒを連結して一本の接続コード３にする連結部４と、接続コード３の中間に設けられた操作部５と、接続コード３の先端に設けられた接続プラグ６と、を有して構成されている。
各本体部１Ｌ，１Ｒの内部には、音声を出力するスピーカ７Ｌ，７Ｒと、外部の音を収録するマイクロホン１２Ｌ，１２Ｒと、が収納されている。
操作部５の内部には、ノイズキャンセル回路などの電子回路Ｃ１を搭載した基板Ｃ２が収納されている。また、電子回路の電源となる単４乾電池などの電池ＢＴが着脱自在に収納される。
操作部５には、ノイズキャンセル機能の入切をするスイッチ５ａと、ノイズキャンセル機能を一時中断して外部の音を積極的に聴取する際に押すボタン５ｂと、が設けられている。
ヘッドホン５０の使用時には接続プラグ６を外部の音楽再生装置などの音声出力端子に接続する。
【００１５】
この使用時に、操作部５のスイッチ５ａによりノイズキャンセル機能をＯＦＦとした場合は、接続プラグ６から入来した音声信号が、接続コード３，操作部５，及びコード２Ｌ，２Ｒを介して本体部１Ｌ，２Ｌに供給され、本体部１Ｌ，２Ｌに収納されたスピーカ７Ｌ，７Ｒから音声信号に基づく音声が外部に放出される。
【００１６】
一方、スイッチ５ａによりノイズキャンセル機能をＯＮにした場合は、マイクロホン１２Ｌ，１２Ｒが後述する収音孔８ｇを介して外部の音を収音する。
収音した左右それぞれの外部音の音声信号は電子回路Ｃ１に供給される。
電子回路Ｃ１は供給された左右それぞれの外部音の音声信号に基づいて、その外部音の音声信号に対する逆相のキャンセル信号を左右それぞれ生成する。
そして、生成した左右のキャンセル信号を、音楽再生装置から供給された左右の音声信号それぞれに加えてキャンセル処理済み音声信号を生成し、スピーカ７Ｌ，７Ｒに供給する。
これにより、耳介に装着された本体部１Ｌ，１Ｒの外側から漏入して耳に到達する外部の音が、スピーカ７Ｌ，７Ｒから出力されるキャンセル処理済み音声信号に基づく音声により概ね相殺されるので、ヘッドホン５０の使用者は、本来聴取すべき音声信号に基づく音声を良好に聴取することができる。
【００１７】
図２は、ヘッドホン５０に対してフック７０を取り付けた状態を示す外観図である。フック７０は、左耳用の本体部１Ｌに取り付ける左耳用のフック７０Ｌと、右耳用の本体部１Ｒに取り付ける右耳用のフック７０Ｒと、の一対の組とされる。
【００１８】
次に、本体部１Ｌ，１Ｒについて詳述する。ヘッドホン５０において左耳用の本体部１Ｌと右耳用の本体部１Ｒとは、対称に作られているので、代表として左耳用の本体部１Ｌについて説明する。
【００１９】
図３は、本体部１Ｌを左耳に装着した際の外側の後方側から見た外観を示す斜視図である。
図３には、本体部１Ｌを左耳の耳介の内側に装着した場合の上下前後方向を示している。また、紙面手前側が外方となり、紙面奥方が内方となる。
【００２０】
本体部１Ｌは、前後方向に長手を有し、外方側から、すなわち、図３の矢印Ｄ１方向から見た際に、後方側が前方側よりも小径となる概ね扁平の卵型の外形を呈する筐体８を有している。
以下、筐体８の後方側を小径部８ａとも称し、前方側を大径部８ｂとも称する。
【００２１】
筐体８の上方側には、上方に略三角形状に突出する突出部８ｃが形成されている。
以下、筐体８において突出部８ｃを除いた扁平の卵型の部分を本体部８ｊと称する。
突出部８ｃは、最も突出する頂部８ｃ１を有し、矢印Ｄ１方向から見た際に非対称なる三角形状に形成されている。
具体的に説明すると、突出部８ｃは、筐体８の小径部８ａにおける外面８ａ１の外形曲線ラインＬＮ８ａになだらかに連結した稜線Ｌｎ８ｃを有する第１傾斜部８ｃ２と、頂部８ｃ１と大径部８ｂとの間を、大径部８ｂの外面８ｂ１に対し、第１傾斜部８ｃ２よりも急激に立ち上がる角度θで直接連接する第２傾斜部８ｃ３と、を有する。
【００２２】
第２傾斜部８ｃ３からは、上斜め前方に向けてコード２Ｌが延出している。
コード２Ｌの根本側（突出部８ｃ側）は、ゴム製のブッシング９で覆われている。
コード２Ｌは、ブッシング９で根本側を覆われていることにより、充分な耐屈曲性を有している。
ここで、コード２Ｌの延出方向となる軸ＣＬ２に対して、第２傾斜部８ｃ３は９０°ではない角度βで交わるように形成されている。すなわち軸ＣＬ２に対して傾斜する面として形成されている。
【００２３】
突出部８ｃには、触感で本体部１Ｌ，１Ｒの左耳用と右耳用との違いを判別できるように、左耳用の本体部１Ｌにのみ、突起８ｔが形成されている。
【００２４】
筐体８は、概ね扁平の卵型に形成されたメインハウジング８ｄと、メインハウジング８ｄに固定されるオーナメントリング８ｅと、オーナメントリング８ｅに対してその中央の開口を塞ぐように固定されるオーナメントキャップ８ｆと、を有している。
ここで、メインハウジング８ｄとオーナメントリング８ｅとが、または、オーナメントリング８ｅとオーナメントキャップ８ｆとが、組み合わされて一部材として形成されていてもよい。
【００２５】
また、メインハウジング８ｄは、耳への装着状態で頭部側となる内ハウジング８ｄ１と外側となる外ハウジング８ｄ２とを組み合わせたものとなっている。以下、区分けして説明する場合を除き、単にメインハウジング８ｄとして説明する。
【００２６】
メインハウジング８ｄ，オーナメントリング８ｅ，及びオーナメントキャップ８ｆは、樹脂の射出成形により形成されている。
好適に用いることができる樹脂として、ＡＢＳ（アクリロニトリル・ブタジエン・スチレン）樹脂やＰＳ（ポリスチレン）樹脂がある。もちろんこれらに限るものではない。
【００２７】
オーナメントリング８ｅは、デザイン上のアクセントとして塗装が施され、さらに左右の識別のために「Ｌ」のシルク印刷がされている。
オーナメントキャップ８ｆには、二点鎖線ＳＫで示す範囲に製造者ロゴや品番などがシルク印刷されている。
【００２８】
オーナメントリング８ｅとオーナメントキャップ８ｆとの境界部の一部に、弧長さＬ１のスリット状の収音孔８ｇが開口している。この収音孔８ｇの開口構造については後述する。
【００２９】
図４は、本体部１Ｌを左耳に装着した際の、内方となる側から見た外観を示す斜視図である。フック７０Ｌは非装着の状態である。
図４には、本体部１Ｌを左耳の耳介の内側に装着した場合の上下前後方向を示している。
【００３０】
図４において、内ハウジング８ｄ１は概ね平面となる基面８ｄ１ｋを有し、その基面８ｄ１ｋの大径部８ｂ側には、内方の斜め前方方向に突出する放音筒部８ｈが形成されている。
放音筒部８ｈの先端側には、ゴム製のイヤーピース１０が装着されている。このイヤーピース１０は、放音筒部８ｈに対して使用者が着脱可能なように嵌着されている。
基面８ｄ１ｋにおける放音筒部８ｈ近傍には、筐体８の内部に収納されたスピーカ７Ｌ（図４参照）の前方側空間と外部とを連通する音質調整孔８ｉが形成されている。
スピーカ７Ｌから出力された音声は、放音筒部８ｈを介して外部に放出される。
【００３１】
次にフック７０について説明する。フック７０の内の左耳用のフック７０Ｌと右耳用のフック７０Ｒとは対称に形成されているので、代表としてフック７０Ｌについて説明する。
【００３２】
図５はフック７０Ｌの外観斜視図である。
【００３３】
図５に示すように、フック７０Ｌは、弓状に形成されている。この弓状形状は、耳介の上方部における外側面の形状に概ね倣ったものとされている。
【００３４】
フック７０Ｌを形成する材料として適度な弾性変形を許容する材料を用いることができ、例えばゴム材や軟らかい樹脂材が好適である。具体的には、シリコンゴムがある。
ここで、適度な弾性変形を許容する材料とは、フック７０Ｌを耳に掛けた状態で、耳に倣う形状が崩れずに、かつ、耳介形状の個人差による違いに馴染んで変形し、その際に使用者が痛みを感じない程度の反発力を生じる材料を意味する。
【００３５】
フック７０Ｌは、大きく捻れることなくほぼ一平面上に延在する弓状とされており、一方の端部７０ａから他方の端部７０ｂに向かうに従って、漸次細くなるように形成されている。
フック７０Ｌが延材する一平面に対し直交する方向に開口するスリット７１が、両端部７０ａ，７０ｂ間に連続して形成されており、スリット７１における開口幅Ｗ２は概ね一定とされている。
【００３６】
他方の端部７０ｂ側は、スリット７１が内部までその開口幅Ｗ２で進入してなる溝部７２とされている。従って、断面形状はＵ字状となっている。
また、一方の端部７０ａ側は、端面７０ａ１から所定の長さＬ７０の範囲について、軸ＣＬ７０を中心とする内径φの円筒状空間７３が形成されて断面形状がＣ字状となっている。
そして、この円筒状空間７３の奥側に溝部７２が連接されている。
すなわち、フック７０Ｌは、円筒状空間７３が形成されている範囲以外は、断面形状がＵ字状の溝部７２とされている。
【００３７】
軸ＣＬ７０は、フック７０Ｌが本体部１Ｌに取り付けられた際に、コード２Ｌの延出方向となる軸ＣＬ２と合致する軸である。
【００３８】
スリット７１の弓状形状に沿った複数箇所に、開口幅Ｗ２を狭める方向に張り出した係止鍔７４が形成されている。図５においては弓状形状に沿って３箇所形成されており、他方の端部７０ｂ近傍においては、スリット７１の両壁側から対向して一対の係止鍔７４ａ，７４ｂが張り出すように設けられている。
【００３９】
ここで、スリット７２の開口幅Ｗ２は、コード２Ｌの外径とほぼ同じか僅かに大きく、かつ、ブッシング９の外径よりは小さく設定されている。
また、円筒状空間７３の内径φは、ブッシング９の最大外形とほぼ同じに設定されている。
【００４０】
また、フック７０Ｌは、一方の端部７０ａの端面７０ａ１における外側の稜線に沿って端面７０ａ１に対して傾斜した面取り面７５ａを有する面取り部７５が形成されている。
図５では理解容易のために、面取り部７５にハッチングを付してある。
【００４１】
以上詳述したフック７０Ｌは、一方の端部７０ａを本体部１Ｌ側として円筒状空間７３にブッシング９を嵌め込み、溝部７２にコード２Ｌを嵌め込むことでヘッドホン５０に取り付けることができる。
コード２Ｌを嵌め込む際に、係止鍔７４が設けられている部分についてはコード２Ｌがそのままでは通過できないので、強制的にスリット７１を広げてコード２Ｌを嵌め込むことで溝部７２内にコード２Ｌを収めることができる。
ブッシング９を嵌め込む際も、強制的にスリット７１を広げて嵌め込みを行う。
【００４２】
図６は、本体部１Ｌに対してフック７０Ｌを取り付ける直前の状態をイヤーピース１０が突出している側から見た斜視図であり、図７は、本体部１Ｌに対してフック７０Ｌを取り付けた状態を図６と同じ側から見た斜視図であり、図８は、図７に対して反対側から見た斜視図である。
【００４３】
ここで、図８に示すように、フック７０Ｌの内径側の稜線（二点鎖線で示す）ＬＮ７０は、本体部１Ｌの突出部８ｃにおける第１傾斜部８ｃ２の稜線ＬＮ８ｃと、ほぼ連続して滑らかに接続するように突出部８ｃ及びフック７０Ｌの形状が設定されている。
【００４４】
また、同様に、フック７０Ｌは、その一方の端部７０ａ側の外周面７０ｓにおける周方向の曲率を、突出部８ｃの頂部８ｃ１近傍の外面８ｃｓにおける周方向の曲率とほぼ同じになるよう設定しているので、フック７０Ｌの外周面７０ｓ（便宜的に破線ＨＳ７０でも示す）と、突出部８ｃの外周面８ｃｓ（便宜的に破線ＨＳ８でも示す）とが、連続した面を形成するようになっている。
【００４５】
従って、フック７０Ｌを装着した状態で、外観上、突出部８ｃとフック７０Ｌとが、あたかも一体で形成されているように視認されると共に、本体部１Ｌの小径部８ａの稜線ＬＮ８ａが突出部８ｃの稜線ＬＮ８ｃに継承され、さらに、その流れがそのままフック７０Ｌの内径側の稜線ＬＮ７０に継承されているように認められるので、本体部１Ｌとフック７０との高度な一体感を使用者に視覚的に与えることができる。
【００４６】
図９は、フック７０Ｌがブッシング９及びコード２Ｌに取り付けられた本体部１Ｌを左耳に装着した状態を示す図である。
【００４７】
図９に示されるように、本体部１Ｌは、全体が耳甲介腔Ｅ１に収められるように耳介Ｅ２に装着される。また、イヤーピース（図９には図示せず）は外耳道内に挿入される。
具体的には、大径部８ｂ側が耳珠Ｅ３の内側に嵌り込むと共に、小径部８ｃ側が耳珠Ｅ３の反対側となる耳輪Ｅ４の内壁Ｅ４ａに当接するように嵌り込む。
この装着状態において、収音孔８ｇは、耳輪Ｅ４によって覆われない位置に配設されている。
イヤーピース１０が外耳道内に挿入され、本体部１Ｋが耳甲介腔Ｅ１に収められ、フック７０Ｌが耳介Ｅ２の上方側の外側面に係合するので、本体部１Ｌはフック７０Ｌと一体的に耳介Ｅ２に良好に装着される。
【００４８】
図１０は、本体部１Ｌの突出部８ｃにおける第２傾斜部８ｃ３近傍の形状について説明するための部分拡大図であり、フック７０Ｌを取り付けていない状態を示している。
【００４９】
この第２傾斜部８ｃ３近傍にフック７０Ｌの一方の端部７０ａ側が取り付けられると、フック７０Ｌにおける一方の端部７０ａの端面７０ａ１が、第２の傾斜部８ｃ３の表面８ｃ３ａと当接して又は近接して対向し、フック７０Ｌの面取り部７５の面取り面７５ａが、外ハウジング８ｄ２の外面における第２の傾斜部８ｃ３近傍の範囲（図１０におけるハッチングを付した範囲）の外面ＡＲ１と当接して又は近接して対向する。
【００５０】
これを平面図である図１１を用いて説明する。
図１１は、本体部１Ｌを外方側（図３の矢印Ｄ１方向）から見た平面図であり、フック７０Ｌを取り付けた状態を示している。
【００５１】
繰り返しとなるが、フック７０Ｌの端面７０ａ１が第２傾斜部３の表面８ｃ３ａと近接対向し、面取り部７５が外ハウジング８ｄ２の外面における第２の傾斜部８ｃ３近傍の範囲ＡＲ１と対向する。
換言するならば、フック７０Ｌは、ヘッドホン５０に取り付けられた際に、本体部１Ｌの外面における異なる２つの面とそれぞれ対向する２つの対向面を有して形成されている。
【００５２】
また、コード２Ｌ及びブッシング９の延出方向となる軸ＣＬ２に対して、第２傾斜部８ｃ３は傾斜して角度βで形成され、実施例においてβを９０°を越える約１２０°として形成されている。従って、フック７０Ｌも、端面７０ａ１も軸ＣＬ２に対して第２傾斜部８ｃ３と同じ角度βをもって形成されている。
そのため、フック７０Ｌを、図１１に示す向き（正規の向きとする）ではない向きで取り付けると、取り付けが安定しない状態となる。
【００５３】
図１２は、フック７０Ｌを、正規の向きに対してコード２Ｌの延出方向ＣＬ２の回りに例えば１８０°回転させた姿勢（向き）で取り付けた状態を示す。
これは正規の向きではなく取り付けた状態である。
【００５４】
図１２に示されるように、正規の向きでない状態においては、フック７０Ｌと突出部８ｃとのそれぞれ対向する面に、２ｘ（β−９０°）の角度が生じて外側が開き、隙間Ｓが生じてしまう。
この状態では、当接して又は近接して対向する面がないので取り付け状態が安定しないばかりでなく、本体部１Ｌとフック７０Ｌとの外形の稜線ラインの連続性が隙間Ｓにより壊れるので、外観上の一体感を得ることはできない。もちろん、フック７０Ｌの弓状の曲がり方向が左耳にフィットしない逆の方向になるので、耳に掛けることができないのは言うまでもない。
【００５５】
フック７０Ｌが、本体部１Ｌに対して図１１に示すような正規の向きで取り付けられれば、本体部１とフック７０Ｌとが異なる２つの面で当接して又は近接して対向するので、収まりがよく、取り付け状態が安定して維持される。また、コード２Ｌの延在方向となる軸ＣＬ２回りの向きの規制も良好に行える。
【００５６】
理解を深めるために、実施例のヘッドホン５０において右耳用の本体部１Ｌに対しフック７０Ｌを取り付けた状態の外観を、六面図にして図１３〜図１８に示す。
すなわち、図１３が正面図、図１４が左側面図、図１５が右側面図、図１６が上面図、図１７が下面図、図１８が背面図である。
各図において、本体部１Ｌ，筐体８，突出部８ｃ，放音筒部８ｈ，ブッシング９，イヤーピース１０，フック７０Ｌ，及びコード２Ｌの符号を付せる場合には付してある。
また、各図における本体部１Ｌの放音筒部８ｈを除く形状について、図３に示した前後上下左右の方向を基準として、外形の前後方向長さ（幅）をＬｄ，外形の上下方向長さ（高さ）をＨｄ，外形の左右方向長さ（厚さ）をＤｄとして示している。
【００５７】
本発明の実施例は、上述した構成に限定されるものではなく、本発明の要旨を逸脱しない範囲において変形例としてもよいのは言うまでもない。
【図面の簡単な説明】
【００５８】
【図１】本発明のヘッドホンの耳掛け具取り付け構造の実施例を説明するための耳掛け具を取り付けていないヘッドホンの外観図である。
【図２】本発明のヘッドホンの耳掛け具取り付け構造の実施例を説明するための耳掛け具を取り付けたヘッドホンの外観図である。
【図３】本発明のヘッドホンの耳掛け具取り付け構造の実施例におけるヘッドホンの左耳用本体部を示す外観図である。
【図４】本発明のヘッドホンの耳掛け具取り付け構造の実施例におけるヘッドホンの左耳用本体部を示す他の外観図である。
【図５】本発明のヘッドホンの耳掛け具取り付け構造の実施例における耳掛け具を示す外観図である。
【図６】本発明のヘッドホンの耳掛け具取り付け構造の実施例において耳掛け具をヘッドホン取り付ける前の状態を示す外観図である。
【図７】本発明のヘッドホンの耳掛け具取り付け構造の実施例において耳掛け具をヘッドホン取り付けた状態を示す外観図である。
【図８】本発明のヘッドホンの耳掛け具取り付け構造の実施例において耳掛け具をヘッドホン取り付けた状態を示す他の外観図である。
【図９】本発明のヘッドホンの耳掛け具取り付け構造の実施例において、耳掛け具を取り付けたヘッドホンを耳に装着した状態を説明するための図である。
【図１０】本発明のヘッドホンの耳掛け具取り付け構造の実施例におけるヘッドホンの要部拡大図である。
【図１１】本発明のヘッドホンの耳掛け具取り付け構造の実施例において耳掛け具を取り付けた状態を説明するための平面図である。
【図１２】本発明のヘッドホンの耳掛け具取り付け構造の実施例における耳掛け具の正規でない取り付け状態を説明するための平面図である。
【図１３】本発明のヘッドホンの耳掛け具取り付け構造の実施例における左耳用の本体部及び耳掛け具についての外観を示す正面図である。
【図１４】本発明のヘッドホンの耳掛け具取り付け構造の実施例における左耳用の本体部及び耳掛け具についての外観を示す左側面図である。
【図１５】本発明のヘッドホンの耳掛け具取り付け構造の実施例における左耳用の本体部及び耳掛け具についての外観を示す右側面図である。
【図１６】本発明のヘッドホンの耳掛け具取り付け構造の実施例における左耳用の本体部及び耳掛け具についての外観を示す上面図である。
【図１７】本発明のヘッドホンの耳掛け具取り付け構造の実施例における左耳用の本体部及び耳掛け具についての外観を示す下面図である。
【図１８】本発明のヘッドホンの耳掛け具取り付け構造の実施例における左耳用の本体部及び耳掛け具についての外観を示す背面図である。
【符号の説明】
【００５９】
１Ｌ，１Ｒ  本体部
２Ｌ，２Ｒ  コード
３  接続コード
４  連結部
５  操作部
５ａ  スイッチ
５ｂ  ボタン
６  接続プラグ
７Ｌ，７Ｒ  スピーカ
７Ｌ１  放音面
８  筐体
８ａ  小径部
８ａ１  外面
８ｂ  大径部
８ｂ１  外面
８ｃ  突出部
８ｃ１  頂部
８ｃ２  第１傾斜部
８ｃ３  第２傾斜部
８ｃ３ａ  表面
８ｃｓ  外周面
８ｄ  メインハウジング
８ｄ１  内ハウジング
８ｄ１ｋ  基面
８ｄ２  外ハウジング
８ｅ  オーナメントリング
８ｅ１  傾斜部
８ｅ１ａ  傾斜面
８ｆ  オーナメントキャップ
８ｇ  収音孔
８ｈ  放音筒部
８ｉ  音質調整孔
８ｊ  本体部
９  ブッシング
１０  イヤーピース
１１  フック
１２Ｌ，１２Ｒ  マイクロホン
１２Ｌ１  収音面
１３  ホルダ
１３ａ  天面
５０  ヘッドホン
６１，６２  円周状リブ
７０，７０Ｌ，７０Ｒ  耳掛け具（フック）
７０ａ  一方の端部
７０ａ１  端面
７０ｂ  他方の端部
７０ｓ  外周面
７１  スリット
７２  溝部
７３  円筒状空間
７４  係止鍔
７５  面取り部
７５ａ  面取り面
ＡＲ１  外面
ＢＴ  電池
Ｃ１  電子回路
ＣＬ２，ＣＬ７０  軸
Ｅ１  耳甲介腔
Ｅ２  耳介
Ｅ３  耳珠
Ｅ４  耳輪
Ｅ４ａ  内壁
ＬＮ８ａ，ＬＮ８ｃ，ＬＮ７０  稜線
【図１】
2010157788.tif 000003
【図２】
2010157788.tif 000004
【図３】
2010157788.tif 000005
【図４】
2010157788.tif 000006
【図５】
2010157788.tif 000007
【図６】
2010157788.tif 000008
【図７】
2010157788.tif 000009
【図８】
2010157788.tif 000010
【図９】
2010157788.tif 000011
【図１０】
2010157788.tif 000012
【図１１】
2010157788.tif 000013
【図１２】
2010157788.tif 000014
【図１３】
2010157788.tif 000015
【図１４】
2010157788.tif 000016
【図１５】
2010157788.tif 000017
【図１６】
2010157788.tif 000018
【図１７】
2010157788.tif 000019
【図１８】
2010157788.tif 000020